(57)【要約】【課題】ユーザが必要とする被写体像に対する視認性の確保と、バッテリー寿命の短縮化防止とを両立させる。【解決手段】スルー画像表示処理を実行して液晶モニタにスルー画像を表示させ（ステップＳ７）、ステップＳ６で開始させたマルチＡＦ処理により合焦が検出されたか否かを判断する（ステップＳ８）。すなわち、マルチＡＦ処理により、複数の領域のいずれかでＡＦ評価値のピークが検出されたか否かを判断する。そして、ＡＦ評価値のピークが検出されると、ステップＳ８からステップＳ９に進み、スルー画像を表示させるとともに、ステップＳ８で合焦が検出された領域（ＡＦ評価値のピークが検出された領域）にピント枠を移動して表示する。また、ＬＥＤ１〜ＬＥＤｎのうち、このピント枠に対応するＬＥＤの輝度を増加させる（ステップＳ１０）。【選択図】図３
2007243738.tif 000002
【特許請求の範囲】
【請求項１】
複数のバックライトを備え、光学系により結像された被写体像を表示する表示手段と、
この表示手段において焦点検出エリア内における前記被写体像が合焦するように前記光学系を制御する合焦制御手段と、
この合焦制御手段により合焦される焦点検出エリアに対応するバックライトの輝度を他のバックライトの輝度よりも高くするバックライト制御手段と
を備えることを特徴とする撮像装置。
【請求項２】
前記バックライト制御手段は、前記合焦制御手段が前記光学系を制御する合焦制御後において、前記対応するバックライトの輝度を他のバックライトの輝度よりも高くする制御を実行することを特徴とする請求項１記載の撮像装置。
【請求項３】
第１及び第２の操作が可能であって、第２の操作に応答して撮影指示を発生する操作キーを備え、
前記合焦制御手段は、前記第１の操作に応答して前記合焦制御を開始することを特徴とする請求項２記載の撮像装置。
【請求項４】
前記複数のバックライトは発光ダイオードであり、各発光ダイオードは並列に接続されてなることを特徴とする請求項１、２又は３記載の撮像装置。
【請求項５】
前記バックライト制御手段は、所定のモードが設定されているか否かを判断する判断手段を有し、
この判断手段の判断結果に基づき、前記所定のモードが設定されている場合に、前記対応するバックライトの輝度を他のバックライトの輝度よりも高くする制御を実行することを特徴とする請求項１から４にいずれか記載の撮像装置。
【請求項６】
前記合焦制御手段は、所定のエリア、又は手動操作により指定されたエリア、もしくは取得した焦点情報に基づき自動設定したエリアを前記焦点検出エリアとすることを特徴とする請求項１から５にいずれか記載の撮像装置。
【請求項７】
前記合焦制御手段は、コントラストオートフォーカス方式又は位相差オートフォーカス方式に従って、前記合焦制御を実行することを特徴とする請求項１から６にいずれか記載の撮像装置。
【請求項８】
複数のバックライトを備え、光学系により結像された被写体像を表示する表示手段を備える撮像装置が有するコンピュータを、
前記表示手段において焦点検出エリア内における前記被写体像が合焦するように前記光学系を制御する合焦制御手段と、
この合焦制御手段により合焦される焦点検出エリアに対応するバックライトの輝度を他のバックライトの輝度よりも高くするバックライト制御手段と
として機能させることを特徴とするバックライト制御プログラム。
【請求項９】
複数のバックライトを備え、光学系により結像された被写体像を表示する表示手段を備える撮像装置におけるバックライト制御方法であって、
前記表示手段において焦点検出エリア内における前記被写体像が合焦するように前記光学系を制御する合焦制御工程と、
この合焦制御工程により合焦される焦点検出エリアに対応するバックライトの輝度を他のバックライトの輝度よりも高くするバックライト制御工程と
を含むことを特徴とするバックライト制御方法。
【発明の詳細な説明】
【技術分野】
【０００１】
本発明は、バックライトを有するモニタを備えた撮像装置、バックライト制御プログラム及びバックライト制御方法に関する。
【背景技術】
【０００２】
一般に、撮像装置にはＣＣＤにより取り込んだスルー画像を表示する液晶モニタが設けられており、この液晶モニタが透過型ＬＣＤである場合には、液晶パネルの背面側に照明光を発光するバックライトが配置されている。このため、バックライトでの消費電力がバッテリーの使用可能時間を短くする大きな要因となっている。そこで、省電力モードと非省電力モードとを備え、省電力モードが設定されている場合には、非省電力モードが設定されている場合に比べて、バックライトの輝度を低減させる撮像装置が提案されるに至っている（例えば、特許文献１参照）。
【特許文献１】特開２００５−１３００３４号公報
【発明の開示】
【発明が解決しようとする課題】
【０００３】
しかしながら、前記省電力モードを設定すると、バッテリー寿命の短縮化を防止できる反面、液晶モニタの輝度が低下して、液晶モニタを見ながら被写体像の合焦状態を視認しているユーザの被写体像に対する視認性が低下してしまう。また、前記非省電力モードを設定すると、液晶モニタに充分な輝度を確保して、液晶モニタを見ながら被写体像の合焦状態を視認しているユーザに充分な視認性を確保できる反面、バッテリー寿命が短縮化してしまう。よって、ユーザが必要とする被写体像に対する視認性の確保と、バッテリー寿命の短縮化防止とを両立させ得るものではなかった。
【０００４】
本発明は、かかる従来の課題に鑑みてなされたものであり、ユーザが必要とする被写体像に対する視認性の確保と、バッテリー寿命の短縮化防止とを両立させることのできる撮像装置、バックライト制御プログラム及びバックライト制御方法を提供することを目的とするものである。
【課題を解決するための手段】
【０００５】
前記課題を解決するため請求項１記載の発明に係る撮像装置にあっては、複数のバックライトを備え、光学系により結像された被写体像を表示する表示手段と、この表示手段において焦点検出エリア内における前記被写体像が合焦するように前記光学系を制御する合焦制御手段と、この合焦制御手段により合焦される焦点検出エリアに対応するバックライトの輝度を他のバックライトの輝度よりも高くするバックライト制御手段とを備える。
【０００６】
また、請求項２記載の発明に係る撮像装置にあっては、前記バックライト制御手段は、前記合焦制御手段が前記光学系を制御する合焦制御後において、前記対応するバックライトの輝度を他のバックライトの輝度よりも高くする制御を実行する。
【０００７】
また、請求項３記載の発明に係る撮像装置にあっては、第１及び第２の操作が可能であって、第２の操作に応答して撮影指示を発生する操作キーを備え、前記合焦制御手段は、前記第１の操作に応答して前記合焦制御を開始する。
【０００８】
また、請求項４記載の発明に係る撮像装置にあっては、前記複数のバックライトは発光ダイオードであり、各発光ダイオードは並列に接続されてなる。
【０００９】
また、請求項５記載の発明に係る撮像装置にあっては、前記バックライト制御手段は、所定のモードが設定されているか否かを判断する判断手段を有し、この判断手段の判断結果に基づき、前記所定のモードが設定されている場合に、前記対応するバックライトの輝度を他のバックライトの輝度よりも高くする制御を実行する。
【００１０】
また、請求項６記載の発明に係る撮像装置にあっては、前記合焦制御手段は、所定のエリア、又は手動操作により指定されたエリア、もしくは取得した焦点情報に基づき自動設定したエリアを前記焦点検出エリアとする。
【００１１】
また、請求項７記載の発明に係る撮像装置にあっては、前記合焦制御手段は、コントラストオートフォーカス方式又は位相差オートフォーカス方式に従って、前記合焦制御を実行する。
【００１２】
また、請求項８記載の発明に係るバックライト制御プログラムにあっては、複数のバックライトを備え、光学系により結像された被写体像を表示する表示手段を備える撮像装置が有するコンピュータを、前記表示手段において焦点検出エリア内における前記被写体像が合焦するように前記光学系を制御する合焦制御手段と、この合焦制御手段により合焦される焦点検出エリアに対応するバックライトの輝度を他のバックライトの輝度よりも高くするバックライト制御手段として機能させる。
【００１３】
また、請求項９記載の発明に係るバックライト制御方法にあっては、複数のバックライトを備え、光学系により結像された被写体像を表示する表示手段を備える撮像装置におけるバックライト制御方法であって、前記表示手段において焦点検出エリア内における前記被写体像が合焦するように前記光学系を制御する合焦制御工程と、この合焦制御工程により合焦される焦点検出エリアに対応するバックライトの輝度を他のバックライトの輝度よりも高くするバックライト制御工程とを含む。
【発明の効果】
【００１４】
本発明によれば、光学系により結像された被写体像を表示する表示手段において、被写体像が合焦するように制御される焦点検出エリアに対応するバックライトの輝度を他のバックライトの輝度よりも高くするようにしたことから、焦点検出エリアの輝度を充分に確保して、被写体像の合焦状態を確認するユーザが必要とする被写体像の視認性を確保することができる。また、バッテリー寿命の短縮化を防止することができる。よって、ユーザが必要とする被写体像に対する視認性の確保と、バッテリー寿命の短縮化防止とを両立させることが可能となる。
【発明を実施するための最良の形態】
【００１５】
以下、本発明の一実施の形態を図に従って説明する。図１は、本発明の一実施の形態を適用したデジタルカメラ１０の回路構成を示すブロック図であり、このデジタルカメラ１０は、後述するマルチＡＦ（Auto Focus）機能とともにＡＥ、ＡＷＢ等の一般的な機能をも有するものである。すなわち、レンズブロック１１には、ズームレンズ、フォーカスレンズ等の光学系、及び光学系を駆動するための駆動機構が含まれており、前記光学系は、駆動機構に設けられているモーター１２によって光軸方向に駆動される。なお、本実施の形態において、前記ＡＦは、フォーカスレンズを光軸方向に移動させながら、各位置で撮像した画像のＡＦ評価値（コントラスト値）を検出し、ＡＦ評価値のピーク位置を合焦位置とするコントラスト検出方式である。
【００１６】
デジタルカメラ１０全体を制御するＣＰＵ１３には、バス１４及びタイミング発生器（ＴＧ：Timing Generator）１５を介してモータードライバ１６が接続されており、モータードライバ１６は、ＣＰＵ１３の命令に従いタイミング発生器１５が発生するタイミング信号に基づき、モーター１２を駆動する。なお、ストロボ１７もタイミング発生器１５が発生するタイミング信号により駆動される。
【００１７】
また、このデジタルカメラ１０は撮像素子としてＣＣＤ１８を有している。ＣＣＤ１８は、レンズブロック１１の光軸上に配置されており、被写体は、レンズブロック１１によってＣＣＤ１８の受光面に結像される。ＣＣＤ１８は、ＣＰＵ１３の命令に従いタイミング発生器１５が生成するタイミング信号に基づき垂直及び水平ドライバ１９によって駆動され、被写体の光学像に応じたアナログの撮像信号をユニット回路２０に出力する。ユニット回路２０は、ＣＣＤ１８の出力信号に含まれるノイズを相関二重サンプリングによって除去するＣＤＳ回路や、ノイズが除去された撮像信号をデジタル信号に変換するＡ／Ｄ変換器等から構成され、デジタルに変換した撮像信号を画像処理部２１へ出力する。
【００１８】
画像処理部２１は、入力した撮像信号に対しペデスタルクランプ等の処理を施し、それを輝度（Ｙ）信号及び色差（ＵＶ）信号に変換するとともに、オートホワイトバランス、輪郭強調、画素補間などの画品質向上のためのデジタル信号処理を行う。画像処理部２１で変換されたＹＵＶデータは順次ＳＤＲＡＭ２２に格納されるとともに、ＲＥＣスルー・モードでは１フレーム分のデータ（画像データ）が蓄積される毎にビデオ信号に変換され、後述するバックライトユニット２４を備える液晶モニタ（ＬＣＤ）２３へ送られてスルー画像として画面表示される。
【００１９】
そして、静止画撮影モードにおいては、シャッターキー操作をトリガとして、ＣＰＵ１３は、ＣＣＤ１８、垂直及び水平ドライバ１９、ユニット回路２０、及び画像処理部２１に対してスルー画撮影モード（ＲＥＣスルー・モード）から静止画撮影モードへの切り替えを指示し、この静止画撮影モードによる撮影処理により得られ、ＳＤＲＡＭ２２に一時記憶された画像データは、ＣＰＵ１３により圧縮され、最終的には所定のフォーマットの静止画ファイルとして外部メモリ２５に記録される。また、ムービー録画モードにおいては、１回目のシャッターキー操作と２回目のシャッターキー操作との間に、ＳＤＲＡＭ２２に順次記憶される複数の画像データがＣＰＵ１３により順次圧縮され、動画ファイルとして外部メモリ２５に記録される。この外部メモリ２５に記録された静止画ファイル及び動画ファイルは、ＰＬＡＹ・モードにおいてユーザの選択操作に応じてＣＰＵ１３に読み出されるとともに伸張され、ＹＵＶデータとしてＳＤＲＡＭ２２に展開された後、液晶モニタ２３に表示される。
【００２０】
フラッシュメモリ２６には、ＣＰＵ１３に前記各部を制御させるための各種のプログラム、例えばＡＥ、ＡＦ、ＡＷＢ制御用のプログラムや、データ通信用プログラム、さらには、ＣＰＵ１３を本発明の合焦制御手段やバックライト制御手段等として機能させるためのプログラム等の各種のプログラムが格納されている。
【００２１】
また、デジタルカメラ１０は、電源スイッチ、モード選択キー、シャッターキー、ズームキー、後述するピント枠（ＡＦエリア）を手動選択するためのピント枠選択キー等の複数の操作キー及びスイッチを含むキー入力部２７、ニッケル水素電池等の充電可能なバッテリー２８、このバッテリー２８の電力を各部に供給するための電源制御回路２９、及びこれらを制御するマイコン３０を有している。マイコン３０は、キー入力部２７における前記操作キーの操作の有無を定常的にスキャンしており、ユーザによっていずれかの操作キーが操作されると、その操作内容に応じた操作信号をＣＰＵ１３へ送る。なお、シャッターキーは、半押しと全押しとが可能な所謂ハーフシャッター機能を有するものである。
【００２２】
また、このデジタルカメラ１０は、前記ムービー録画モードにおいて、周囲音を記録する録音機能を備えており、ＣＰＵ１３には、音声処理回路を有する音声チップ３２を介して、スピーカ（ＳＰ）３３と、マイクロホン（ＭＩＣ）３４とが接続されている。音声チップ３２は、ムービー録画モード時には、マイクロホン３４から入力された音声波形を処理して、音声波形データをＣＰＵ１３に入力する。そして、ＣＰＵ１３は、ムービー録画モードにおいて１回目と２回目のシャッターキー操作間に、音声チップ３２から入力された音声波形データを圧縮し、この圧縮周囲音データと圧縮動画データとを含む音声付き動画ファイルを生成して外部メモリ２５に記録する。この外部メモリ２５に記録された音声付き動画ファイルは、ＰＬＡＹ・モードにおいて動画データが再生される際に、周囲音データが音声チップ３２で音声波形に変換されてスピーカ３３により再生される。
【００２３】
前記バックライトユニット２４は、図２に示すように、ｎ個のＬＥＤ１〜ＬＥＤｎを有している。これらｎ個のＬＥＤ１〜ＬＥＤｎは、前記液晶モニタ２３が有する液晶パネル２３１の背面側に、該液晶パネル２３１の長辺に沿って、等間隔に配置され、並列接続されている。なお、ＬＥＤ１〜ＬＥＤｎの個数及びその間隔は、これらを全てのＬＥＤ１〜ＬＥＤｎを同一輝度で点灯させた状態において、液晶パネル２３１に輝度ムラが生じない程度である。
【００２４】
以上の構成に係る本実施の形態において、ＣＰＵ１３は前記フラッシュメモリ２６に格納されているプログラムに基づき、図３のフローチャートに示すような処理を実行する。スルー画撮影モードが設定されている撮影待機状態において、ＡＦ連動バックライト制御モードが設定されているか否かを判断する（ステップＳ１）。ここで、ＡＦ連動バックライト制御モードは、キー入力部２７のモード選択キーをユーザが操作することによりモード設定されたりモード設定が解除されるものである。ステップＳ１において設定されていないと判断された場合には、その他の処理に移行する（ステップＳ２）。また、ステップＳ１においてＡＦ連動バックライト制御モードが設定されていると判断された場合には、省電力処理を実行して、例えば各ＬＥＤ１〜ＬＥＤｎの輝度が最大輝度の５０％程度となるように、ＬＥＤ１〜ＬＥＤｎの印加電圧を制御する（ステップＳ３）。これにより、図４（Ａ）に示すように、ＬＥＤ１〜ＬＥＤｎが５０％程度の輝度となる。
【００２５】
引き続き、液晶モニタ２３にスルー画像を表示させるとともに、図４（Ａ）に示すように、液晶モニタ２３の中央部にピント枠２３２を表示させる（ステップＳ４）。このとき、低輝度ではあるがＬＥＤ１〜ＬＥＤｎは点灯していることから、ユーザは液晶モニタ２３の液晶パネル２３１に表示されたスルー画像を視認することができる。次に、シャッターキーが半押しされたか否かを判断し（ステップＳ５）、シャッターキーが半押しされるまでステップＳ１からの処理を繰り返す。
【００２６】
そして、シャッターキーが半押しされたならば、マルチＡＦ処理を開始する（ステップＳ６）。すなわち、先ずフォーカスレンズを近端（最短撮影距離）に位置させて複数のフォーカス領域毎に画像のＡＦ評価値（コントラスト値）を検出するとともに、フォーカスレンズを遠端（∞）側に１ステップずつ移動させて、複数のフォーカス領域毎に画像のＡＦ評価値（コントラスト値）を検出する処理を開始する。
【００２７】
また、スルー画像表示処理を実行して液晶モニタ２３にスルー画像を表示させ（ステップＳ７）、前記ステップＳ６で開始させたマルチＡＦ処理により合焦が検出されたか否かを判断する（ステップＳ８）。すなわち、前記マルチＡＦ処理により、前記複数のフォーカス領域のいずれかでＡＦ評価値のピークが検出されたか否かを判断する。そして、複数のフォーカス領域のいずれでもＡＦ評価値のピークが検出されない場合には（ステップＳ８；ＮＯ）、ステップＳ７からの処理を繰り返す。このとき、マルチＡＦ処理は継続して実行されており、ＡＦ評価値のピーク（合焦）が検出されると、ステップＳ８からステップＳ９に進む。
【００２８】
そして、このステップＳ９では、スルー画像を表示させるとともに、ステップＳ８で合焦が検出されたフォーカス領域（ＡＦ評価値のピークが検出された領域）をＡＦエリア（焦点検出エリア）として決定し、このＡＦエリアにピント枠２３２を移動して表示する。したがって、このステップＳ９での処理により、図４（Ｂ）に示すように、ピント枠２３２は決定されたＡＦエリア上に移動する。
【００２９】
また、この移動させたピント枠２３２に対応するＬＥＤ、つまりＬＥＤ１〜ＬＥＤｎのうち、ピント枠２３２の直下に位置するＬＥＤ、あるいはピント枠２３２に最も近接するＬＥＤの輝度を増加させる（ステップＳ１０）。例えば、対応するＬＥＤの輝度が最大輝度（１００％）となるように、当該ＬＥＤの印加電圧を制御する。これにより、液晶パネル２３１は、図４（Ｃ）に示すように、輝度が増加したＬＥＤに対応する部分において帯状の高輝度領域２３３が生ずる。この高輝度領域２３３にあっては、ピント枠２３２が表示されてその内部の画像が合焦している部分であり、被写体像の合焦状態や被写体像における合焦部分を確認してから撮影（シャッターキーの全押し）を行おうとするユーザが、最も視認性を要求する部分である。よって、ユーザが最も視認性を要求する被写体像部分の視認性を確保することができる。
【００３０】
引き続き、シャッターキーが全押しされたか否かを判断する（ステップＳ１１）。シャッターキーが全押しされなかった場合には、シャッターキーの半押し操作が解除されたか否かを判断する（ステップＳ１２）。そして、シャッターキーが全押しされるか、又は、シャッターキーの半押し操作が解除されるまでステップＳ９からの処理を繰り返す。この間ユーザは、前記液晶モニタ２３でピント枠２３２と被写体像との関係を確認し、被写体像のピント位置が当該ピント枠２３２に対応する部分で良いか否かを判断する。しかし、ユーザが意図するピント位置が他の部分であった場合には、シャッターキーを全押しすることなく、半押しを解除する。すると、ステップＳ１２の判断がＹＥＳとなって、リターンしステップＳ１からの処理を再度実行する。
【００３１】
そして、このステップＳ１からの処理が再度実行される際に、ユーザがこのデジタルカメラ１の向きを変更すると、前記ステップＳ６で開始されたマルチＡＦ処理により、前回とは異なる領域でＡＦ評価値のピークが検出されて、ステップＳ８の判断がＹＥＳとなる。よって、ステップＳ９での処理により、図４（Ｄ）に示すように、ピント枠２３２は今回決定された他のＡＦエリア上に移動して表示されることとなる。
【００３２】
また、前述と同様に、この移動させたピント枠２３２に対応するＬＥＤの輝度を増加させ（ステップＳ１０）、これにより、液晶パネル２３１は、図４（Ｄ）に示すように、輝度が増加したＬＥＤに対応する部分において帯状の高輝度領域２３３が生ずる。引き続き、シャッターキーが全押しされたか否かを判断する（ステップＳ１１）。そして、ユーザが前記液晶モニタ２３でピント枠２３２と被写体像との関係を確認し、ピント位置が当該ピント枠２３２に対応する部分で良い場合には、シャッターキーを全押しする。これにより、ステップＳ１１の判断がＹＥＳとなり、このステップＳ１１からステップＳ１３に進み、キャプチャー処理を実行する。すなわち、前述のようにＣＰＵ１３は、シャッターキーの全押しをトリガとして、ＣＣＤ１８、垂直及び水平ドライバ１９、ユニット回路２０、及び画像処理部２１に対してスルー画撮影モードから静止画撮影モードへの切り替えを指示し、この静止画撮影モードによる撮影処理により得られ、ＳＤＲＡＭ２２に一時記憶された画像データを圧縮して、最終的には所定のフォーマットの静止画ファイルとして外部メモリ２５に記録する。
【００３３】
したがって、ステップＳ９でピント枠２３２が決定されるまでは、全てのＬＥＤ１〜ＬＥＤｎが低輝度に維持され、ステップＳ９でピント枠２３２が決定されても、高輝度とされるのはいずれか１つのＬＥＤのみであり、さらに、シャッターキーが全押しされた後リターンするとステップＳ３で、高輝度とされたＬＥＤも含めて全てのＬＥＤ１〜ＬＥＤｎが低輝度に復帰される（図４（Ｅ））。よって、バッテリー２８の寿命の短縮化を効果的に防止することができる。しかも、前述のように、ユーザが最も視認性を要求する被写体像部分の視認性を確保することができることから、ユーザが必要とする被写体像に対する視認性の確保と、バッテリー寿命の短縮化防止とを両立させることが可能となる。
【００３４】
なお、このように、高輝度とされたＬＥＤはリターンしてステップＳ３の処理が実行されるまでは、高輝度に維持される。したがって、ステップＳ１３で画像データを外部メモリ２５に記録した後、撮影画像を液晶モニタ２３にレビュー表示した際には、前記高輝度領域２３３により、最も視認性を要求する被写体像の合焦部分を明瞭に表示することができる。
【００３５】
図５は、本発明の他の実施の形態にかかるバックライトユニット２４の構成を示す図である。このバックライトユニット２４においては、隣接する一対のＬＥＤは直列接続され、これら直列接続された一対のＬＥＤが並列接続されている。したがって、この実施の形態においては、隣接する一対ずつＬＥＤの輝度を増加させることが可能となる。したがって、液晶モニタ２３が大画面であって、ＡＦエリアが比較的大きい場合であっても、視認性を確保する上で充分な範囲の輝度を増加させることができる。
【００３６】
このように、輝度制御するＬＥＤは１個に限らず、複数個のＬＥＤの輝度制御を行うようにしてもよく、また、接続形態も図２及び図５に示した並列接続に限らず、他の接続形態を用いてもよい。さらに、バックライトはＬＥＤに限定されるものではなく、蛍光ランプ等の他の光源を用いてもよく、バックライトを二次元的に配置するようにしてもよい。要は、複数のバックライトのうち、一部のバックライトの輝度のみを増加し得る構成であればよい。
【００３７】
また、実施の形態においては、ＡＦエリアを自動決定するようにしたが、ＡＦエリアが固定（例えば中央）であるものや、ユーザが手動操作によりＡＦエリアの位置を任意に決定するものであっても、本発明を適用することができる。なお、ＡＦエリアが固定である場合には、スルー画像表示中においては常時、ＡＦエリアに対応するバックライトの輝度を増加した状態にしておくようにしてもよい。
【００３８】
さらに、実施の形態においては、コントラストＡＦ方式を用いた場合を示したが、位相差ＡＦ方式を用いるようにしてもよい。
【図面の簡単な説明】
【００３９】
【図１】本発明の一実施の形態に係るデジタルカメラの電気的構成を示すブロック図である。
【図２】同実施の形態におけるバックライトユニットの詳細を示す回路図である。
【図３】同実施の形態の処理手順を示すフローチャートである。
【図４】同実施の形態の動作遷移図である。
【図５】本発明の他の実施の形態におけるバックライトユニットの詳細を示す回路図である。
【符号の説明】
【００４０】
１０    デジタルカメラ
１１    レンズブロック
１３    ＣＰＵ
１４    バス
１５    タイミング発生器
１６    モータードライバ
１８    ＣＣＤ
１９    水平ドライバ
２０    ユニット回路
２１    画像処理部
２２    ＳＤＲＡＭ
２３    液晶モニタ
２４    バックライトユニット
２５    外部メモリ
２６    フラッシュメモリ
２７    キー入力部
２８    バッテリー
２９    電源制御回路
２３１    液晶パネル
２３２    ピント枠
２３３    高輝度領域
【図１】
2007243738.tif 000003
【図２】
2007243738.tif 000004
【図３】
2007243738.tif 000005
【図４】
2007243738.tif 000006
【図５】
2007243738.tif 000007